(57)【要約】【課題】一方端に被操作対象を備える棒状部材に設けられる操作部材において、ユーザの利便性を向上させる。【解決手段】一方端に被操作対象２を備える棒状部材１に結合可能な支持装置６であって、被操作対象２を操作する操作部材３を、当該支持装置６に固定する第１の固定部材６５・７と、その第１の固定部材６５・７を、棒状部材１の軸方向に対して離間する方向に回転させる第１の回転部材６３と、を備える。具体的には、第１の固定部材６５・７は、操作部材３に差し込み可能な差し込み部材７２を含み、その差し込み部材７２によって操作部材３を当該支持装置６に固定する。そして、第１の回転部材６３は、第１の固定部材６５・７を棒状部材１に対して垂直方向に段階的に回転させる。さらに、第１の固定部材６５・７は、操作部材３を第１の回転部材６３の回転軸６２に対して垂直方向に段階的に回転させる第２の回転部材６５を含む。【選択図】図５
2018025815.tif 000002
【特許請求の範囲】
【請求項１】
一方端に被操作対象を備える棒状部材に結合可能な支持装置であって、
前記被操作対象を操作する操作部材を、当該支持装置に固定する第１の固定部材と、
前記第１の固定部材を、前記棒状部材の軸方向に対して離間する方向に回転させる第１の回転部材と、
を備えることを特徴とする支持装置。
【請求項２】
一方端に被操作対象を備える棒状部材に結合可能な支持装置であって、
前記被操作対象を操作する操作部材を、当該支持装置に着脱可能に固定する第１の固定部材を備えることを特徴とする支持装置。
【請求項３】
前記第１の固定部材は、前記操作部材に差し込み可能な差し込み部材を含み、
前記差し込み部材によって前記操作部材を当該支持装置に固定することを特徴とする請求項１または２に記載の支持装置。
【請求項４】
前記棒状部材に対し当該支持装置を着脱可能に固定する第２の固定部材を備えることを特徴とする請求項１から３いずれか一項に記載の支持装置。
【請求項５】
前記第１の回転部材は、前記第１の固定部材と前記第２の固定部材とが重なった状態において、当該第１の固定部材を前記第２の固定部材から離間する方向に回転させることを特徴とする請求項１から３いずれか一項に記載の支持装置。
【請求項６】
前記第１の回転部材は、前記第１の固定部材を前記棒状部材の軸方向に対して離間する方向に段階的にチルト回転させることを特徴とする請求項１から４のいずれか一項に記載の支持装置。
【請求項７】
前記第１の固定部材は、前記操作部材を前記第１の回転部材の回転軸に対して垂直方向に回転させる第２の回転部材を含むことを特徴とする請求項１から５のいずれか一項に記載の支持装置。
【請求項８】
前記第１の固定部材は、前記操作部材を前記第１の回転部材の回転軸に対して垂直方向に段階的に回転させる第２の回転部材を含むことを特徴とする請求項６に記載の支持装置。
【請求項９】
一方端に被操作対象を備える棒状部材と、
前記棒状部材に設けられ、前記被操作対象を操作する操作部材を前記棒状部材に固定する固定部材と、
前記固定部材を、前記棒状部材の軸方向に対して離間する方向に回転させる回転部材と、
を備えることを特徴とする支持装置。
【請求項１０】
前記固定部材は、前記操作部材に差し込み可能な差し込み部材を含み、
前記差し込み部材によって前記操作部材を当該支持装置に固定することを特徴とする請求項７に記載の支持装置。
【請求項１１】
前記回転部材は、前記固定部材を前記棒状部材の軸方向に対して離間する方向に段階的に回転させることを特徴とする請求項７または８に記載の支持装置。
【請求項１２】
前記被操作対象は、撮像装置を含むことを特徴とする請求項１から９のいずれか一項に記載の支持装置。
【請求項１３】
前記操作部材は、前記撮像装置により撮像される画像を表示させる表示手段を含むことを特徴とする請求項１０に記載の支持装置。
【請求項１４】
前記被操作対象は前記棒状部材に対して着脱可能に取り付けられることを特徴とする請求項１から１３のいずれか一項に記載の支持装置。
【請求項１５】
前記操作部材は、前記被操作対象に対して着脱可能であることを特徴とする請求項１から１４のいずれか一項に記載の支持装置。
【発明の詳細な説明】
【技術分野】
【０００１】
本発明は、ユーザの手の届かない位置にある被操作部材の操作を補助する装置に関する。
【背景技術】
【０００２】
従来、ユーザ所望の画角で撮像するために、棒状部材の一方端に撮像装置を取り付ける機構を備えて、棒状部材の他方端側に、撮像装置を操作する操作部材を備える構成の外部機器がある（特許文献１参照）。
【先行技術文献】
【特許文献】
【０００３】
【特許文献１】実用新案登録第３１８４２５２号公報
【発明の概要】
【発明が解決しようとする課題】
【０００４】
しかしながら、特許文献１に記載された構成は、ユーザが被操作対象に対して所望の操作を行うには不十分な構成になっており、ユーザの利便性を損なう虞があった。
【０００５】
本発明の課題は、一方端に被操作対象を備える棒状部材に設けられる操作部材において、ユーザの利便性を向上させることである。
【課題を解決するための手段】
【０００６】
以上の課題を解決するため、本発明は、
一方端に被操作対象を備える棒状部材に結合可能な支持装置であって、
前記被操作対象を操作する操作部材を、当該支持装置に固定する第１の固定部材と、
前記第１の固定部材を、前記棒状部材の軸方向に対して離間する方向に回転させる第１の回転部材と、
を備えることを特徴とする。
【発明の効果】
【０００７】
本発明によれば、一方端に被操作対象を備える棒状部材に設けられる操作部材において、ユーザの利便性を向上させることができる。
【図面の簡単な説明】
【０００８】
【図１】本発明を適用した棒状部材及び電子機器の一実施形態の構成を示す平面図で、棒状部材を縮めた状態の図（ａ）と、棒状部材を伸ばした状態の図（ｂ）である。
【図２】図１の撮像装置と操作部材の関係を拡大して示すもので、その撮像装置と操作部材の接続を解除操作した時の平面図（ａ）と、撮像装置と操作部材を接続状態で回動させた時の側面図（ｂ）である。
【図３】図１（ａ）の撮像装置を外した状態の拡大図（ａ）と、その側面図（ｂ）である。
【図４】図３（ｂ）の支持装置側を拡大して操作部材の固定の仕方を示した図である。
【図５】図１（ｂ）の操作部材側の拡大斜視図である。
【図６】図５の操作部材部分の拡大側面図で、９０度起こした状態を仮想線で示した図である。
【図７】図６の操作部材部分のチルト動作を示した図である。
【図８】図５及び図６の操作部材の４５度起こした状態を示す図（ａ）と、その４５度チルトで９０度回転状態を示す図（ｂ）と、９０度起こした状態を示す図（ｃ）と、その９０度チルトで９０度回転状態を示す図（ｄ）である。
【発明を実施するための形態】
【０００９】
以下、図を参照して本発明を実施するための形態を詳細に説明する。
（実施形態）
図１は本発明を適用した棒状部材１及び電子機器の一実施形態の構成を示すもので、２は撮像装置（被操作対象）、３は操作部材である。
【００１０】
図示のように、棒状部材１は手元部１１及び伸縮部１２から構成され、電子機器は、被操作対象である撮像装置２と、その撮像装置２を操作する操作部材３とから構成されている。
そして、棒状部材１には、伸縮部１２の先端に撮像装置２が着脱可能に固定されて、伸縮部１２の手元部１１側端に操作部材３が着脱可能に固定されている。
図１（ａ）は伸縮部１２を縮めた状態で、図示のように、撮像装置２と操作部材３が接近して並んだ状態にある。
図１（ｂ）は伸縮部１２を伸ばした状態で、図示のように、撮像装置２と操作部材３が大きく離れた状態となっている。
【００１１】
図２は図１の撮像装置２と操作部材３の関係を示すもので、図示のように、レンズ部２１を備える撮像装置２と表示部３１を備える操作部材３とが着脱可能に接続されている。その接続状態において、ヒンジ結合部材４によって、撮像装置２と操作部材３が回動可能となっている。
【００１２】
撮像装置２には、外周壁に沿って電源ボタン２２、シャッターボタン２３、動画撮影開始／終了ボタン２４、接続解除ボタン２５が設けられている。
なお、撮像装置２の筐体は、レンズ部２１を備える側と周壁部が樹脂ケースで、その反対側が金属ケースであり、レンズ部２１の周囲にアンテナ（図示せず）が内蔵されている。
【００１３】
操作部材３には、その一方の短辺部に着脱用スリット（図示せず）が形成されて、一方の長辺部に電源ボタン３２、シャッターボタン３３、動画撮影開始／終了ボタン３４が設けられて、他方の長辺部に接続解除ボタン３５が設けられている。
以上の撮像装置２と操作部材３は無線通信で接続されており、この構成により本願支持装置は、例えば、ケーブルの長さによる制限といった物理的制約を受けづらいという特徴を備える。
【００１４】
また、ヒンジ結合部材４は、樹脂製のリング状カバー４１と金属プレートによる差し込み部材４２を折り畳み可能に結合したもので、リング状カバー４１が撮像装置２のレンズ部２１側の周囲に着脱可能となっていて、差し込み部材４２が操作部材３の着脱用スリット３２に挿入可能となっている。
ヒンジ結合部材４は、リング状カバー４１と差し込み部材４２を回動させて１８０°まで開いた場合、両端でロックが掛かり、１８０°開いた状態（以下、ストレート状態と呼ぶ）を保持する。
【００１５】
リング状カバー４１は、図示しない複数本の爪とストッパーによってロック可能なバヨネット式結合で撮像装置２と接合され、リング状カバー４１を回転することにより撮像装置２の脱着が行える。
また、撮像装置２とリング状カバー４１が接合した後は、撮像装置２内に設けられた図示しないピンによってロックが掛かり、不用意な脱落防止とレンズ画角（縦横位置）の固定が行える。
そのロックは、撮像装置２の接続解除ボタン２５を押すことで解除され、リング状カバー４１から撮像装置２を切り離すことができる。
【００１６】
差し込み部材４２は、操作部材３の図示しない前記着脱用スリットに差し込む。これにより、差し込み部材４２は、横長形状の固定用スリット４３において、操作部材３内に設けられた図示しないロック機能により固定されて、操作部材３からの脱落が防止される。
そのロックは、操作部材３の接続解除ボタン３５を押すことで、解除され、図２（ａ）に示すように、差し込み部材４２から操作部材３を切り離すことができる。
【００１７】
さらに、差し込み部材４２には、撮像装置２を所定の設置場所（例えば三脚）に固定するための形状部として、図示しないが、縦長形状の三脚固定用穴が形成されている。
なお、このような三脚に固定するための形状部と、操作部材３に固定させるための形状部は、同一の穴またはスリットであっても、異なる穴やスリット等であってもよい。
【００１８】
以上の撮像装置２と操作部材３のヒンジ結合部材４による接合状態において、撮像装置２と操作部材３の前記ストレート状態では、レンズ部２１と表示部３１が同一面となり、自分撮りに適した状態となる。
そして、例えば図２（ｂ）に示すように、ヒンジ結合部材４により撮像装置２と操作部材３を任意の角度に回動させることができる。
【００１９】
図３は図１の撮像装置２を外した状態を拡大したもので、図示のように、棒状部材１の伸縮部１２の先端に、撮像装置２を着脱可能に取り付ける取付部材５が備えられて、伸縮部１２の手元部１１側端に、操作部材３を着脱可能に固定する支持装置であるアタッチメント６が備えられている。
【００２０】
取付部材５は、伸縮部１２の先端に棒状部材１と直交方向の回転軸５１を介して取り付けた取付台５２にネジ５３を備えている。
このネジ５３を、前述した撮像装置２に一体のヒンジ結合部材４の差し込み部材４２の図示しない三脚固定用穴に挿入して図示しないナットを締め付けることで、取付台５２に撮像装置２が固定される。
【００２１】
アタッチメント６は、伸縮部１２の手元部１１側端を、貫通孔に挿入してネジ止めにより着脱可能に固定した固定台６１に、棒状部材１と直交方向の回転軸６２を介して取り付けた第１の回転部材６３と、その第１の回転部材６３に、回転軸６２と直交方向の回転軸６４を介して取り付けた第２の回転部材６５とを備えている。
なお、固定台６１は、上下二分割体により構成されて、その上下二分割体で伸縮部１２の手元部１１側端を挟み込んでネジ止めにより着脱可能に固定する取付構造であってもよい。
【００２２】
そして、第２の回転部材６５には、前述した操作部材３と同様、その一方の短辺部に着脱用スリット６６が形成されている。この着脱用スリット６６には、前述した差し込み部材４２と同様の差し込み部材が差し込まれ、前述した操作部材３と同様、差し込み部材は、横長形状の固定用スリットにおいて、第２の回転部材６５内に設けられた図示しないロック機能により固定されて、第２の回転部材６５からの脱落が防止される。
そのロックは、第２の回転部材６５に設けられる図示しない接続解除ボタンを押すことで、解除され、差し込み部材から第２の回転部材６５を切り離すことができる。
【００２３】
図４は図３（ｂ）のアタッチメント６を拡大して操作部材３の固定の仕方を示したもので、図示のように、平行する一対の差し込み部材７１・７２を備える結合部材７を用いてアタッチメント６に操作部材３を固定する。この一対の差し込み部材７１・７２は、前述した差し込み部材４２と同様の構成である。
すなわち、結合部材７の一方の差し込み部材７１を第２の回転部材６５の着脱用スリット６６に差し込んで固定する一方、他方の差し込み部材７２を操作部材３の着脱用スリットに差し込んで固定する。
【００２４】
従って、第２の回転部材６５は、操作部材３をアタッチメント６に固定する固定部材を兼ねている。
また、結合部材７も、操作部材３をアタッチメント６に固定する固定部材を兼ねている。
そして、固定台６１は、棒状部材１に対しアタッチメント６を着脱可能に固定する第２の固定部材である。
【００２５】
図５及び図６は図１（ｂ）の操作部材３側を拡大したもので、アタッチメント６の第２の回転部材６５に結合部材７により固定された操作部材３は、固定台６１に対し回転軸６２と一体に第１の回転部材６３が回転して、図７に示すように、固定台６１に対しチルト動作し、図６に仮想線で示すように、９０度起こした状態に至る。
このチルト動作は、回転軸６２の周囲に設ける図示しないクリック機構によるクリック感を伴って段階的になされる。
【００２６】
図８は図５及び図６の操作部材３の各角度状態と回転状態を示すものである。
すなわち、例えば、図８（ａ）に示すように、操作部材３を４５度起こした状態から、さらに、図８（ｂ）に示すように、第１の回転部材６３に対し回転軸６４と一体に第２の回転部材６５が回転して、操作部材３を９０度回転状態とすることができる。
同様に、図８（ｃ）に示すように、操作部材３を９０度起こした状態から、さらに、図８（ｄ）に示すように、第１の回転部材６３に対し回転軸６４と一体に第２の回転部材６５が回転して、操作部材３を９０度回転状態とすることができる。
この回転動作は、回転軸６４の周囲に設ける図示しないクリック機構によるクリック感を伴って段階的になされる。
【００２７】
このように、棒状部材１の手元部１１側に取り付けたアタッチメント６に表示部３１を備える操作部材３を固定して、棒状部材１の手元部１１側において、その操作部材３を起こし９０度の範囲で任意にチルトして表示部３１の画面を見てどの角度からでも確認でき、さらに、操作部材３を縦横方向にも回転させることで、表示部３１の画面を常に見やすい状態で確認することができる。
【００２８】
なお、棒状部材１の伸縮部１２先端の取付部材５に取り付けられた撮像装置２については、図１（ｂ）に示すように、伸縮部１２を伸ばした状態の先端において、回転軸５１を介して取り付けた取付台５２に差し込み部材４２で固定した撮像装置２を、ヒンジ結合部材４により撮像装置２を任意の角度に回動させて、レンズ部２１の向きを変えて撮影することができる。
また、例えば、撮像装置２を下にして棒状部材１を地面に対して垂直方向に立てた状態で、撮像装置２を水中に入れて水中撮影をしたり、レンズ部２１を上向きにして撮影したりすることもできる。
【００２９】
このように、棒状部材１の伸縮部１２先端の取付部材５に撮像装置２を取り付けて、その撮像装置２のレンズ部２１の向きを任意に変えて撮影することができる。
【００３０】
以上により、撮像装置２と操作部材３が分かれるカメラの最大のメリットを利用して、セルフィー撮影といった撮影に最適な状態で使用することができる。
【００３１】
以上、実施形態によれば、一方端に撮像装置２を備える棒状部材１に結合可能なアタッチメント６は、撮像装置２を無線通信により遠隔操作する操作部材３をアタッチメント６に固定する固定部材（第２の回転部材６５及び結合部材７）と、その固定部材６５・７を棒状部材１に対して垂直方向に回転させる第１の回転部材６３とを備えている。
さらに、操作部材３をアタッチメント６に固定する固定部材は、操作部材３を第１の回転部材６３の回転軸６２に対して垂直方向に段階的に回転させる第２の回転部材６５を含んでいる。
【００３２】
従って、伸縮部１２の先端に撮像装置２を備える棒状部材１の手元部１１側に設けられる操作部材３において、第１の回転部材６３及び第２の回転部材６５により、操作部材３をそれぞれ任意の角度に回転させて、ユーザの利便性を向上することができる。
【００３３】
（変形例）
以上の実施形態においては、被操作対象を撮像装置としたが、本発明はこれに限定されるものではなく、撮像装置を備える携帯電話など他の電子機器であってもよい。
また、実施形態では、棒状部材に操作部材の支持装置を設けたが、棒状部材を含む支持装置であってもよい。
さらに、被操作対象、操作部材、固定部材、回転部材及び差し込み部材の形状等も任意であり、その他、具体的な細部構造等についても適宜に変更可能であることは勿論である。
【００３４】
なお、第１の回転部材６３と第２の回転部材による回転動作はクリック機構によりクリック感を伴って段階的に回転するよう構成したが、クリック機構を備えずに滑らかに回転するよう構成してもよい。
【００３５】
なお、アタッチメント６と操作部材３とを着脱用のスリットを用いて固定するように構成したが、それに限らず、アームを設けて挟み込むように固定する構成にしても良い。
【００３６】
また、アタッチメント６を介さずに、棒状部材１と操作部材３とを直接固定するように構成しても良い。
【００３７】
また、アタッチメント６は、棒状部材１と着脱可能に備え付ける構成としたが、棒状部材１とアタッチメント６とを一体型構造にするよう構成してもよい。
【００３８】
以上、本発明のいくつかの実施形態を説明したが、本発明の範囲は、上述の実施の形態に限定するものではなく、特許請求の範囲に記載された発明の範囲とその均等の範囲を含む。
以下に、この出願の願書に最初に添付した特許請求の範囲に記載した発明を付記する。
付記に記載した請求項の項番は、この出願の願書に最初に添付した特許請求の範囲の通りである。
〔付記〕
＜請求項１＞
一方端に被操作対象を備える棒状部材に結合可能な支持装置であって、
前記被操作対象を操作する操作部材を、当該支持装置に固定する第１の固定部材と、
前記第１の固定部材を、前記棒状部材の軸方向に対して離間する方向に回転させる第１の回転部材と、
を備えることを特徴とする支持装置。
＜請求項２＞
一方端に被操作対象を備える棒状部材に結合可能な支持装置であって、
前記被操作対象を操作する操作部材を、当該支持装置に着脱可能に固定する第１の固定部材を備えることを特徴とする支持装置。
＜請求項３＞
前記第１の固定部材は、前記操作部材に差し込み可能な差し込み部材を含み、
前記差し込み部材によって前記操作部材を当該支持装置に固定することを特徴とする請求項１または２に記載の支持装置。
＜請求項４＞
前記棒状部材に対し当該支持装置を着脱可能に固定する第２の固定部材を備えることを特徴とする請求項１から３いずれか一項に記載の支持装置。
＜請求項５＞
前記第１の回転部材は、前記第１の固定部材と前記第２の固定部材とが重なった状態において、当該第１の固定部材を前記第２の固定部材から離間する方向に回転させることを特徴とする請求項１から３いずれか一項に記載の支持装置。
＜請求項６＞
前記第１の回転部材は、前記第１の固定部材を前記棒状部材の軸方向に対して離間する方向に段階的にチルト回転させることを特徴とする請求項１から４のいずれか一項に記載の支持装置。
＜請求項７＞
前記第１の固定部材は、前記操作部材を前記第１の回転部材の回転軸に対して垂直方向に回転させる第２の回転部材を含むことを特徴とする請求項１から５のいずれか一項に記載の支持装置。
＜請求項８＞
前記第１の固定部材は、前記操作部材を前記第１の回転部材の回転軸に対して垂直方向に段階的に回転させる第２の回転部材を含むことを特徴とする請求項６に記載の支持装置。
＜請求項９＞
一方端に被操作対象を備える棒状部材と、
前記棒状部材に設けられ、前記被操作対象を操作する操作部材を前記棒状部材に固定する固定部材と、
前記固定部材を、前記棒状部材の軸方向に対して離間する方向に回転させる回転部材と、
を備えることを特徴とする支持装置。
＜請求項１０＞
前記固定部材は、前記操作部材に差し込み可能な差し込み部材を含み、
前記差し込み部材によって前記操作部材を当該支持装置に固定することを特徴とする請求項７に記載の支持装置。
＜請求項１１＞
前記回転部材は、前記固定部材を前記棒状部材の軸方向に対して離間する方向に段階的に回転させることを特徴とする請求項７または８に記載の支持装置。
＜請求項１２＞
前記被操作対象は、撮像装置を含むことを特徴とする請求項１から９のいずれか一項に記載の支持装置。
＜請求項１３＞
前記操作部材は、前記撮像装置により撮像される画像を表示させる表示手段を含むことを特徴とする請求項１０に記載の支持装置。
＜請求項１４＞
前記被操作対象は前記棒状部材に対して着脱可能に取り付けられることを特徴とする請求項１から１３のいずれか一項に記載の支持装置。
＜請求項１５＞
前記操作部材は、前記被操作対象に対して着脱可能であることを特徴とする請求項１から１４のいずれか一項に記載の支持装置。
【符号の説明】
【００３９】
１    棒状部材
１１  手元部
１２  伸縮部
２    撮像装置（被操作対象）
２１  レンズ部
２２  電源ボタン
２３  シャッターボタン
２４  動画開始／終了ボタン
２５  接続解除ボタン
３    操作部材
３１  表示部
３２  電源ボタン
３３  シャッターボタン
３４  動画開始／終了ボタン
３５  接続解除ボタン
４    ヒンジ結合部材
４１  リング状カバー
４２  差し込み部材
４３  固定用スリット
５    取付部材
５１  回転軸
５２  取付台
５３  ネジ
６    支持装置
６１  固定台（第２の固定部材）
６２  回転軸
６３  第１の回転部材
６４  回転軸
６５  第２の回転部材（第１の固定部材）
６６  着脱用スリット
７    結合部材（第１の固定部材）
７１  差し込み部材
７２  差し込み部材
【図１】
2018025815.tif 000003
【図２】
2018025815.tif 000004
【図３】
2018025815.tif 000005
【図４】
2018025815.tif 000006
【図５】
2018025815.tif 000007
【図６】
2018025815.tif 000008
【図７】
2018025815.tif 000009
【図８】
2018025815.tif 000010